(57)【要約】【課題】  梯子（一連、二連、多連を含む）の重心上がりを防止した、落下防止器を取り付けた安全梯子の提供。【構成】  二連の安全梯子Ａは、下梯子下部に落下防止器４を取付金具１０で固定し、最上段の上踏桟２３に定滑車を懸垂金具５０で釣り下げ、フックｆ付きのワイヤーｗが各下梯子１３の背後を上昇し、梯子の重なり部分で上踏桟２３の前面に出て上昇し、定滑車５に掛け渡されてから各梯子の背後を垂下する様に引き回されている。  二連の安全梯子Ａは、下梯子下部に落下防止器４を固定しているので、重心が下がり、作業物へ立て掛ける際に、グラついたり、倒れたりし難い。  また、作業物へ二連の安全梯子Ａを立て掛け後に作業者が踏桟を昇降する際にもグラつかないので、足を踏み外し難い。【選択図】図１
2020111949.tif 000002
【特許請求の範囲】
【請求項１】
所定間隔を隔てて立設する左右下支柱、およびこれら左右下支柱の異なる高さ位置に複数取り付けられた下踏桟を有する下梯子と、
所定間隔を隔てて立設する左右上支柱、およびこれら左右上支柱の異なる高さ位置に複数取り付けられた上踏桟を有する上梯子と、
前記下梯子の背後で上下動自在な前記上梯子を任意の高さで係止する伸縮固定手段と、  索状体の引出速度が限界値を越えるとロックがかかる落下防止器を取り付けた二連の安全梯子であって、
前記落下防止器は、下梯子下部に取付金具で固定され、
最上段の上踏桟に定滑車が懸垂金具で釣り下げられ、
前記落下防止器から繰り出されるフック付き索状体は、各下梯子の背後を上昇し、梯子の重なり部分で前記上踏桟の前面に出て上昇し、前記定滑車に掛け渡されてから各踏桟の前面を垂下する様に引き回されることを特徴とする二連の安全梯子。
【請求項２】
所定間隔を隔てて立設する左右下支柱、およびこれら左右下支柱の異なる高さ位置に複数取り付けられた下踏桟を有する下梯子と、
所定間隔を隔てて立設する左右上支柱、およびこれら左右上支柱の異なる高さ位置に複数取り付けられた上踏桟を有する上梯子と、
前記下梯子の背後で上下動自在な前記上梯子を任意の高さで係止する伸縮固定手段と、  索状体の引出速度が限界値を越えるとロックがかかる落下防止器を取り付けた二連の安全梯子であって、
前記落下防止器は、上梯子下部に取付金具で固定され、
最上段の上踏桟に定滑車が懸垂金具で釣り下げられ、
前記落下防止器から繰り出されるフック付き索状体は、各上踏桟の背後を上昇し、前記定滑車に掛け渡されてから各踏桟の前面を垂下する様に引き回されることを特徴とする二連の安全梯子。
【請求項３】
所定間隔を隔てて立設する左右下支柱、およびこれら左右下支柱の異なる高さ位置に複数取り付けられた下踏桟を有する下梯子と、
所定間隔を隔てて立設する左右上支柱、およびこれら左右上支柱の異なる高さ位置に複数取り付けられた上踏桟を有する上梯子と、
前記下梯子の背後で上下動自在な前記上梯子を任意の高さで係止する伸縮固定手段と、  索状体の引出速度が限界値を越えるとロックがかかる落下防止器を取り付けた二連の安全梯子であって、
前記落下防止器は、下梯子下部に取付金具で固定され、
最上段の上踏桟に吊りローラーが懸垂金具で釣り下げられ、
前記落下防止器から繰り出されるフック付き索状体は、各下梯子の背後を上昇し、梯子の重なり部分で前記上踏桟の前面に出て上昇し、前記吊りローラーに掛け渡されてから各踏桟の前面を垂下する様に引き回されることを特徴とする二連の安全梯子。
【請求項４】
所定間隔を隔てて立設する左右下支柱、およびこれら左右下支柱の異なる高さ位置に複数取り付けられた下踏桟を有する下梯子と、
所定間隔を隔てて立設する左右上支柱、およびこれら左右上支柱の異なる高さ位置に複数取り付けられた上踏桟を有する上梯子と、
前記下梯子の背後で上下動自在な前記上梯子を任意の高さで係止する伸縮固定手段と、  索状体の引出速度が限界値を越えるとロックがかかる落下防止器を取り付けた二連の安全梯子であって、
前記落下防止器は、下梯子下部に取付金具で固定され、
最上段の上踏桟に吊り金車が釣り下げられ、
前記落下防止器から繰り出されるフック付き索状体は、各下梯子の背後を上昇し、梯子の重なり部分で前記上踏桟の前面に出て上昇し、前記吊り金車に掛け渡されてから各踏桟の前面を垂下する様に引き回されることを特徴とする二連の安全梯子。
【請求項５】
所定間隔を隔てて立設する左右支柱、およびこれら左右支柱の異なる高さ位置に複数取り付けられた踏桟を有する梯子と、
索状体の引出速度が限界値を越えるとロックがかかる落下防止器を取り付けた一連の安全梯子であって、
前記落下防止器は、梯子下部に取付金具で固定され、
最上段の踏桟に滑車状体が取り付けられ、
前記落下防止器から繰り出されるフック付き索状体は、前記梯子の各踏桟の背後を上昇し、前記滑車状体に掛け渡されてから各踏桟の前面を垂下する様に引き回されることを特徴とする一連の安全梯子。
【請求項６】
所定間隔を隔てて立設する左右下支柱、およびこれら左右下支柱の異なる高さ位置に複数取り付けられた下踏桟を有する下梯子と、
所定間隔を隔てて立設する左右上支柱、およびこれら左右上支柱の異なる高さ位置に複数取り付けられた上踏桟を有する上梯子と、
所定間隔を隔てて立設する左右中支柱、およびこれら左右中支柱の異なる高さ位置に複数取り付けられた中踏桟を有する１つ以上の中梯子と、
前記下梯子を除く上下動自在な各梯子を任意の高さ位置で係止させるための複数の伸縮固定手段と、
索状体の引出速度が限界値を越えるとロックがかかる落下防止器を取り付けた多連の安全梯子であって、
前記落下防止器は、何れかの梯子の梯子下部に取付金具で固定され、
前記上梯子の最上段の上踏桟に滑車状体が取り付けられ、
前記落下防止器から繰り出されるフック付き索状体は、前記滑車状体に掛け渡されてから各踏桟の前面を垂下する様に引き回されることを特徴とする多連の安全梯子。
【発明の詳細な説明】
【技術分野】
【０００１】
本発明は、高所作業を行う作業現場の近傍へ作業車で運搬し、作業現場の作業物まで手で運び、約７５度の角度で作業物に立て掛けて使用する安全ブロック付きの安全梯子（一連、二連、三連以上の多連を含む）に関する。
【背景技術】
【０００２】
梯子の内、二連の梯子（別名：可動梯子）は、高所作業を行う際に良く使用される。
【０００３】
また、安全ブロック（別名：落下防止器）は、高所作業を行う作業者の落下防止を図る際に使用される。
【０００４】
特許文献１には、立坑に沿って設置した可動梯子の上部に安全ブロックを取り付けた技術が記載されている。
【先行技術文献】
【特許文献】
【０００５】
【特許文献１】特開２０１１−２５６５３２
【発明の概要】
【発明が解決しようとする課題】
【０００６】
比較的重い落下防止器を梯子上部に取り付けると、梯子の重心が上がって梯子が不安定になる。
【０００７】
なお、立坑等に固定した梯子の場合は、立坑等へ手で運ぶ必要が無く、立坑等に立て掛ける必要もないので、梯子の重心が上がっても問題が無い。
【０００８】
しかし、作業現場の作業物に立て掛けて使用する梯子の場合は、梯子を作業物へ手で運ぶ時や、作業物に立て掛ける時や、作業者が踏桟を昇降する時に、下記の様な不具合が発生する。
【０００９】
落下防止器を取り付けた梯子上部が重くなるので、運ぶ際に梯子上部側が下がり、運び難い。
【００１０】
梯子の重心が上がるため、作業物へ立て掛ける際に、梯子がグラついたり、倒れたりし易い。
【００１１】
梯子の重心が上がるため、立て掛け後、踏桟を昇降する際に、梯子がグラつき易く、作業者が足を踏み外し易い。
【００１２】
本発明の目的は、梯子（一連、二連、多連を含む）の重心上がりを防止した、落下防止器を取り付けた安全梯子の提供にある。
【課題を解決するための手段】
【００１３】
［請求項１について］
二連の安全梯子は、下踏桟を有する下梯子と、上踏桟を有する上梯子と、上梯子を任意の高さで係止可能な伸縮固定手段と、フック付き索状体が繰り出される落下防止器と、上踏桟に釣り下げられる定滑車とを備える。
【００１４】
下梯子は、所定間隔を隔てて立設する左右下支柱と、これら左右下支柱の異なる高さ位置に複数取り付けられる下踏桟とを有する。
【００１５】
上梯子は、所定間隔を隔てて立設する左右上支柱と、これら左右上支柱の異なる高さ位置に複数取り付けられる上踏桟とを有する。
【００１６】
伸縮固定手段により、上梯子は、下梯子の背後で上下動自在であり、任意の高さで係止可能である。
【００１７】
落下防止器は、索状体の引出速度が限界値を越えるとロックがかかる構造である。この落下防止器は、下梯子下部（好適には、最下段の下踏桟と、その下踏桟より下方に位置する左右下支柱とで囲まれた場所）に取付金具で固定される。
【００１８】
落下防止器から繰り出されるフック付き索状体は、梯子使用時において、各下梯子の背後を上昇し、梯子の重なり部分で上踏桟の前面に出て上昇し、定滑車に掛け渡されてから各踏桟の前面を垂下する様に引き回されている。
【００１９】
定滑車は、最上段の上踏桟に懸垂金具で釣り下げられる。
【００２０】
請求項１の二連の安全梯子は、下記の利点を有する。
【００２１】
比較的重い落下防止器を、下梯子下部に取付金具で固定している。また、最上段の上踏桟に懸垂金具で定滑車を釣り下げている。
【００２２】
通常、（落下防止器の重量＋取付金具の重量）＞（定滑車の重量＋懸垂金具の重量）であるため、梯子を延ばして使用する状態において、二連の安全梯子の重心が下がる。
【００２３】
二連の安全梯子を延ばして使用する状態において、重心が下がるため、作業物へ立て掛けた際に、グラついたり、倒れたりし難い。
【００２４】
延ばして使用する状態において、重心が下がるため、作業物へ二連の安全梯子を立て掛け後、踏桟を昇降する際に、グラつき難く、作業者が足を踏み外し難い。
【００２５】
縮ませた状態の二連の安全梯子は、（落下防止器の重量＋取付金具の重量）が、（定滑車の重量＋懸垂金具の重量）で、ある程度相殺されるので、運搬時に下梯子下部が下がり難く、運び易い。
【００２６】
落下防止器から繰り出されるフック付き索状体は、梯子使用時において、各下梯子の背後を上昇し、梯子の重なり部分で上踏桟の前面に出て上昇し、定滑車に掛け渡されてから各踏桟の前面を垂下する様に引き回されているので、作業者が踏桟を登る際に、索状体が干渉し難い。
【００２７】
なお、落下防止器を梯子上部に取り付ける構造に比べて索状体の長さが略二倍必要となるので、落下防止器内に巻かれる索状体の長さを略二倍にするか、索状体を繋いで長くする。
［請求項２について］
二連の安全梯子は、下踏桟を有する下梯子と、上踏桟を有する上梯子と、上梯子を任意の高さで係止可能な伸縮固定手段と、フック付き索状体が繰り出される落下防止器と、上踏桟に釣り下げられる定滑車とを備える。
【００２８】
下梯子は、所定間隔を隔てて立設する左右下支柱と、これら左右下支柱の異なる高さ位置に複数取り付けられる下踏桟とを有する。
【００２９】
上梯子は、所定間隔を隔てて立設する左右上支柱と、これら左右上支柱の異なる高さ位置に複数取り付けられる上踏桟とを有する。
【００３０】
伸縮固定手段により、上梯子は、下梯子の背後で上下動自在であり、任意の高さで係止可能である。
【００３１】
落下防止器は、索状体の引出速度が限界値を越えるとロックがかかる構造である。この落下防止器は、上梯子下部（好ましくは、最下から二段上の上踏桟と、その一つ上の上踏桟と、これらの上踏桟間に位置する左右上支柱とで囲まれる場所）に取付金具で固定される。
【００３２】
落下防止器から繰り出されるフック付き索状体は、梯子使用時において、各上踏桟の背後を上昇し、定滑車に掛け渡されてから各踏桟の前面を垂下する様に引き回されている。      
【００３３】
定滑車は、最上段の上踏桟に懸垂金具で釣り下げられる。
【００３４】
請求項２の二連の安全梯子は、下記の利点を有する。
【００３５】
請求項２の二連の安全梯子は、比較的重い落下防止器を上梯子下部に取付金具で固定し、最上段の上踏桟に懸垂金具で定滑車を釣り下げている。
【００３６】
このため、梯子を延ばして使用する状態において、落下防止器を梯子上部に取り付ける従来の梯子の場合は重心が上がってしまうが、請求項２の二連の安全梯子では重心の上がりは少ない。
【００３７】
二連の安全梯子を延ばして使用する状態において、重心の上がりが少ないため、作業物へ二連の安全梯子を立て掛ける際に、グラついたり、倒れたりし易い。
【００３８】
二連の安全梯子を延ばして使用する状態において、重心の上がりが少ないため、作業物へ二連の安全梯子を立て掛け後に踏桟を昇降する際にもグラつき難く、作業者が足を踏み外し易い。
【００３９】
二連の安全梯子は、畳んだ状態において、（落下防止器の重量＋取付金具の重量）が、（定滑車の重量＋懸垂金具の重量）で、ある程度相殺されるので、持ち運ぶ際に、上梯子下部が下がり難く、運び易い。
【００４０】
落下防止器から繰り出されるフック付き索状体は、梯子使用時において、各上梯子の背後を上昇し、定滑車に掛け渡されてから各踏桟の前面を垂下する様に引き回されているため、二連の安全梯子を延ばす際に、索状体が下梯子に干渉し難い。
【００４１】
請求項２の二連の安全梯子は、落下防止器を梯子上部に取り付ける構造に比べて索状体を長くする必要があるので、落下防止器内に巻かれる索状体の長さを長くするか、索状体を繋いで長くする。
【００４２】
しかし、請求項２の二連の安全梯子は、請求項１の二連の安全梯子に比べて、索状体の繰り出し長が略３／４で良いで、落下防止器内に巻かれる索状体の長さを略３／４にすることができる。
［請求項３について］
二連の安全梯子は、下踏桟を有する下梯子と、上踏桟を有する上梯子と、上梯子を任意の高さで係止可能な伸縮固定手段と、フック付き索状体が繰り出される落下防止器と、上踏桟に釣り下げられる吊りローラーとを備える。
【００４３】
下梯子は、所定間隔を隔てて立設する左右下支柱と、これら左右下支柱の異なる高さ位置に複数取り付けられる下踏桟とを有する。
【００４４】
上梯子は、所定間隔を隔てて立設する左右上支柱と、これら左右上支柱の異なる高さ位置に複数取り付けられる上踏桟とを有する。
【００４５】
伸縮固定手段により、上梯子は、下梯子の背後で上下動自在であり、任意の高さで係止可能である。
【００４６】
落下防止器は、索状体の引出速度が限界値を越えるとロックがかかる構造である。この落下防止器は、下梯子下部（好ましくは、最下段の下踏桟と、その下踏桟より下方に下方に位置する左右下支柱とで囲まれる場所）に取付金具で固定される。
【００４７】
落下防止器から繰り出されるフック付き索状体は、梯子使用時において、各下梯子の背後を上昇し、梯子の重なり部分で上踏桟の前面に出て上昇し、吊りローラーに掛け渡されてから各踏桟を垂下する様に引き回されている。
【００４８】
吊りローラーは、最上段の上踏桟に懸垂金具で釣り下げられる。
【００４９】
請求項３の二連の安全梯子は、下記の利点を有する。
【００５０】
請求項３の二連の安全梯子は、比較的重い落下防止器を下梯子下部に取付金具で固定し、最上段の上踏桟に吊りローラーを懸垂金具で釣り下げている。
【００５１】
通常、（落下防止器の重量＋取付金具の重量）＞（吊りローラーの重量＋懸垂金具の重量）であるため、請求項３の二連の安全梯子は、延ばして使用する状態において重心が下がる。
【００５２】
延ばして使用する状態において重心が下がるため、作業物へ二連の安全梯子を立て掛ける際に、グラついたり、倒れたりし易い。
【００５３】
延ばして使用する状態において重心が下がるため、作業物へ二連の安全梯子を立て掛け後、踏桟を昇降する際にもグラつき難く、作業者が足を踏み外し易い。
【００５４】
畳んだ状態において、二連の安全梯子は、（落下防止器の重量＋取付金具の重量）が、（吊りローラーの重量＋懸垂金具の重量）により若干相殺されるので、運搬時に下梯子下部が下がり難く、運び易い。
【００５５】
落下防止器から繰り出されるフック付き索状体は、梯子使用時において、下梯子の背後を上昇し、梯子の重なり部分で上踏桟の前面に出て上昇し、吊りローラーに掛け渡されてから垂下する様に引き回されているので、作業者が踏桟を登る際に索状体が干渉し難い。      
【００５６】
なお、落下防止器を梯子上部に取り付ける構造に比べて索状体の長さが略二倍必要となるので、落下防止器内に巻かれる索状体の長さを略二倍にするか、索状体を繋いで長くする。
【００５７】
吊りローラーは、通常、シープの溝がＶ字状であるので、定滑車に比べ、索状体が外れ難い。
［請求項４について］
二連の安全梯子は、下踏桟を有する下梯子と、上踏桟を有する上梯子と、上梯子を任意の高さで係止可能な伸縮固定手段と、フック付き索状体が繰り出される落下防止器と、上踏桟に釣り下げられる吊り金車とを備える。
【００５８】
下梯子は、所定間隔を隔てて立設する左右下支柱と、これら左右下支柱の異なる高さ位置に複数取り付けられる下踏桟とを有する。
【００５９】
上踏桟は、所定間隔を隔てて立設する左右上支柱と、これら左右上支柱の異なる高さ位置に複数取り付けられる上踏桟とを有する。
【００６０】
伸縮固定手段により、上梯子は、下梯子の背後で上下動自在であり、任意の高さで係止可能である。
【００６１】
落下防止器は、索状体の引出速度が限界値を越えるとロックがかかる構造である。この落下防止器は、下梯子下部（好ましくは、最下段の下踏桟と、その下踏桟より下方に位置する左右下支柱とで囲まれる場所）に取付金具で固定される。
【００６２】
落下防止器から繰り出されるフック付き索状体は、各下梯子の背後を上昇し、梯子の重なり部分で上踏桟の前面に出て上昇し、吊り金車に掛け渡されてから垂下する様に引き回されている。
【００６３】
吊り金車は、最上段の上踏桟に釣り下げられる。
【００６４】
請求項４の二連の安全梯子は、下記の利点を有する。
【００６５】
比較的重い落下防止器を下梯子下部（好ましくは、最下段の下踏桟と、その下踏桟より下方に位置する左右下支柱とで囲まれる場所）に取付金具で固定している。また、最上段の上踏桟に吊り金車を釣り下げている。
【００６６】
通常、（落下防止器の重量＋取付金具の重量）＞吊り金車の重量であるため、二連の安全梯子を延ばして使用する状態において重心が下がる。
【００６７】
請求項４の二連の安全梯子は、延ばして使用する状態において重心が下がるため、作業物へ二連の安全梯子を立て掛ける際に、グラついたり、倒れたりし難い。
【００６８】
請求項４の二連の安全梯子は、延ばして使用する状態において重心が下がるため、作業物へ二連の安全梯子を立て掛け後、踏桟を昇降する際にもグラつき難く、作業者が足を踏み外し難い。
【００６９】
畳んだ状態において、二連の安全梯子は、（落下防止器の重量＋取付金具の重量）が、吊り金車の重量により、ある程度相殺されるので、持ち運ぶ際に、下梯子下部が下がり難く、運び易い。
【００７０】
落下防止器から繰り出されるフック付き索状体は、梯子使用時において、各下梯子の背後を上昇し、梯子の重なり部分で上踏桟の前面に出て上昇し、吊り金車に掛け渡されてから各梯子を垂下する様に引き回されているので、作業者が踏桟を登る際に、索状体が干渉し難い。
【００７１】
なお、請求項４の二連の安全梯子は、落下防止器を梯子上部に取り付ける従来の二連の梯子に比べて索状体の長さが略二倍必要となるので、落下防止器内に巻かれる索状体の長さを略二倍にするか、索状体を繋いで長くする。
［請求項５について］
一連の安全梯子は、梯子と、フック付き索状体が繰り出される落下防止器と、踏桟に取り付けられる滑車とを備える。
【００７２】
梯子は、所定間隔を隔てて立設する左右支柱と、これら左右支柱の異なる高さ位置に複数取り付けられる踏桟とを有する。
【００７３】
落下防止器は、索状体の引出速度が限界値を越えるとロックがかかる構造である。この落下防止器は、梯子下部（好ましくは、最下段の踏桟と、その踏桟より下方に位置する左右支柱とで囲まれる場所）に取付金具で固定される。
【００７４】
落下防止器から繰り出されるフック付き索状体は、梯子使用時において、梯子の各踏桟の背後を上昇し、滑車に掛け渡されてから、各踏桟の前面を垂下する様に引き回されている。
【００７５】
滑車状体は、最上段の踏桟に取り付けられる。
【００７６】
請求項５の一連の安全梯子は、下記の利点を有する。
【００７７】
請求項５の一連の安全梯子は、比較的重い落下防止器を梯子下部に取付金具で固定している。また、最上段の踏桟に滑車を取り付けている。
【００７８】
通常、（落下防止器の重量＋取付金具）＞（滑車の重量）であるため、一連の安全梯子の使用状態において重心が下がる。
【００７９】
請求項５の一連の安全梯子は、梯子の使用状態において、重心が下がるため、作業物へ立て掛けた際に、グラついたり、倒れたりし難い。
【００８０】
また、重心が下がるため、作業物へ一連の安全梯子を立て掛け後、踏桟を昇降する際にもグラつき難く、作業者が足を踏み外し難い。
【００８１】
一連の安全梯子は、（落下防止器の重量＋取付金具）が、（滑車の重量）で、ある程度相殺されるので、運搬時に梯子下部が下がり難く、運び易い。
【００８２】
落下防止器から繰り出されるフック付き索状体は、梯子使用時において、梯子の各踏桟の背後を上昇し、滑車状体に掛け渡されてから各踏桟の前面を垂下する様に引き回されているので、作業者が踏桟を登る際に、索状体が干渉し難い。
【００８３】
なお、一連の安全梯子は、落下防止器を梯子上部に取り付ける従来の一連の梯子に比べて索状体の長さが略二倍必要となるので、落下防止器内に巻かれる索状体の長さを略二倍にするか、索状体を繋いで長くする。
［請求項６について］
多連の安全梯子は、下踏桟を有する下梯子と、上踏桟を有する上梯子と、中踏桟を有する１つ以上の中梯子と、フック付き索状体が繰り出される落下防止器と、上踏桟に取り付けられる滑車状体とを備える。
【００８４】
下梯子は、所定間隔を隔てて立設する左右下支柱と、これら左右下支柱の異なる高さ位置に複数取り付けられる下踏桟とを有する。
【００８５】
上梯子は、所定間隔を隔てて立設する左右上支柱と、これら左右上支柱の異なる高さ位置に複数取り付けられる上踏桟とを有する。
【００８６】
１つ以上の中梯子は、所定間隔を隔てて立設する左右中支柱と、これら左右中支柱の異なる高さ位置に複数取り付けられる中踏桟とを有する。
【００８７】
伸縮固定手段により、下梯子を除く各梯子は、上下動自在であり、任意の高さ位置で係止可能である。
【００８８】
落下防止器は、索状体の引出速度が限界値を越えるとロックがかかる構造である。この落下防止器は、何れかの梯子の梯子下部（好ましくは、最下段の下踏桟と、その下踏桟より下方に位置する左右下支柱とで囲まれた下梯子下部）に取付金具で固定される。
【００８９】
落下防止器から繰り出されるフック付き索状体は、梯子使用時において、滑車に掛け渡されてから各踏桟の前面を垂下する様に引き回されている。
【００９０】
滑車状体は、上梯子の最上段の上踏桟に取り付けられる。
【００９１】
請求項６の多連の安全梯子は、下記の利点を有する。
【００９２】
請求項６の多連の安全梯子は、比較的重い落下防止器を、何れかの梯子の梯子下部に取付金具で固定し、上梯子の最上段の上踏桟に滑車状体を取り付けている。
【００９３】
梯子を延ばして使用する状態において、落下防止器を梯子上部に取り付ける従来の梯子の場合は重心が大幅に上がってしまう。
【００９４】
しかし、通常、（落下防止器の重量＋取付金具）＞（滑車状体の重量）であるため、請求項６の多連梯子では、その使用状態では、重心が下がる（下方段の梯子の梯子下部に落下防止器を取り付けた場合）か、または重心の上がりが少ない（上方段の梯子の梯子下部に落下防止器を取り付けた場合）。
【００９５】
請求項６の多連の安全梯子を延ばして使用する状態において、重心が下がるか、または、重心の上がりが少ないため、作業物へ多連の安全梯子を立て掛ける際に、グラついたり、倒れたりし易い。
【００９６】
多連の安全梯子を延ばして使用する状態において、重心が下がるか、または、重心の上がりが少ないため、作業物へ多連の安全梯子を立て掛け後、踏桟を昇降する際にもグラつき易く、作業者が足を踏み外し易い。
【００９７】
多連の安全梯子は、畳んだ状態において、（落下防止器の重量＋取付金具の重量）が、（滑車状体の重量）で、ある程度相殺されるので、持ち運ぶ際に、上梯子下部が下がり難く、運び易い。
【００９８】
落下防止器から繰り出されるフック付き索状体は、梯子使用時において、滑車に掛け渡されてから各踏桟の前面を垂下する様に引き回されているため、多連梯子を延ばす際に、索状体が梯子に干渉し難い。
【００９９】
なお、請求項６の多連の安全梯子は、落下防止器を梯子上部に取り付ける構造に比べて索状体を長くする必要があるので、落下防止器内に巻かれる索状体の長さを長くするか、索状体を繋いで長くする。
【図面の簡単な説明】
【０１００】
【図１】本発明の実施例１に係る二連の安全梯子の説明図である。
【図２】二連の安全梯子に用いる落下防止器の説明図である。
【図３】本発明の実施例２に係る二連の安全梯子の説明図である。
【図４】本発明の実施例３に係る二連の安全梯子の説明図である。
【図５】本発明の実施例４に係る二連の安全梯子の説明図である。
【図６】本発明の実施例５に係る一連の安全梯子の説明図である。
【図７】本発明の実施例６に係る三連の安全梯子の説明図である。
【発明を実施するための形態】
【０１０１】
二連の安全梯子は、複数の下踏桟を有する下梯子と、複数の上踏桟を有する上梯子と、上梯子を任意の高さで係止可能な伸縮固定手段と、下梯子下部に固定されフック付きの索状体を繰り出す落下防止器と、上踏桟に釣り下げられる定滑車とを備え、落下防止器から繰り出される索状体は、各下梯子の背後を上昇し、梯子の重なり部分で上踏桟の前面に出て上昇し、定滑車に掛け渡されてから各梯子の背後を垂下する様に引き回されている。
【０１０２】
二連の安全梯子は、下梯子下部に落下防止器を固定しているので、重心が下がり、作業物へ二連の安全梯子を立て掛ける際に、グラついたり、倒れたりし難い。また、作業物へ二連の安全梯子を立て掛け後、踏桟を昇降する際にもグラつき難く、作業者が足を踏み外し難い。
【実施例１】
【０１０３】
本発明の実施例１に係る二連の安全梯子Ａ（請求項１に対応）を、図１および図２に基づいて説明する。
【０１０４】
図１に示す如く、二連の安全梯子Ａは、左下支柱１１〜右下支柱１２間に複数の下踏桟１３を取り付けた下梯子１と、左上支柱２１〜右上支柱２２間に複数の上踏桟２３を取り付けた上梯子２と、上梯子２を任意の高さで係止可能な伸縮固定手段３と、下梯子下部に取付金具１０により固定される落下防止器４と、上踏桟２３に懸垂金具５０により吊り下げられる定滑車５とを備える。
【０１０５】
左下支柱１１、右下支柱１２は、断面が長方形で、長さが数ｍの中空アルミパイプである。左下支柱１１および右下支柱１２の下端には、滑り止め用の端具１１１、１１２が取り付けられている。
【０１０６】
左下支柱１１、右下支柱１２は、数十ｃｍの間隔を隔てて並設され、左下支柱１１〜右下支柱１２間に、七個の下踏桟１３が等間隔に取り付けられている。
【０１０７】
左上支柱２１、右上支柱２２は、断面が長方形で、長さが数ｍの中空アルミパイプである。
【０１０８】
左上支柱２１および右上支柱２２の上端には、怪我防止用のエンドキャップ２１１、２２１が取り付けられている。
【０１０９】
左上支柱２１、右上支柱２２は、数十ｃｍの間隔を隔てて並設され、左上支柱２１〜右上支柱２２間に、六個の上踏桟２３が取り付けられている。
【０１１０】
伸縮固定手段３は、ブラケット３１、３２、止め金具３３、ロック、およびラック等により構成され、下梯子３の背後で上梯子２を上下動自在に支持するとともに、上梯子２を任意の高さで係止可能とする公知の機構である。
【０１１１】
なお、上梯子２の下端を下梯子１の下端まで下げると、上梯子２が取付金具１０に当たるため、二連の安全梯子Ａを運搬する時や保管する際には、上梯子２の下端を下梯子１の２段目に下げる。
【０１１２】
落下防止器４は、ワイヤーｗの引出速度が限界値を越えると、ロックがかかる構造である（図２参照）。この落下防止器４は、最下段の下踏桟１３と、その下踏桟１３より下方に位置する左右下支柱１１、１２とで囲まれる下梯子下部に取付金具１０により固定される。
【０１１３】
落下防止器４のハウジング４０は、取付金具１０にボルト止めされる背面側ハウジング４１と、前面側ハウジング４２とを連結してなる。
【０１１４】
取付金具１０は、断面略コ字状を呈し、下梯子１の下端の左右下支柱１１、１２にボルト止めされる。
【０１１５】
落下防止器４の軸４１１は、背面側ハウジング４１の中央に固定されている。
【０１１６】
背面側ハウジング４１には、ドラム４３が収納され、軸４１１に回動可能に遊嵌されている。このドラム４３には、フックｆ付きのワイヤーｗが巻き付けられている。
【０１１７】
フックｆは、作業者の安全ベルトの金具に引っ掛けるためのものである。
【０１１８】
ドラム４３は、スプリング（図示せず）を内蔵し、このスプリングの付勢力により回動してワイヤーｗが巻き取られる。
【０１１９】
ドラム４３の内周側には軸４４が固着され、外周側には軸４５が固着されている。
【０１２０】
前面側ハウジング４２の中央には、ラチェットホイール４６が固着されている。
【０１２１】
軸４４には、ラチェット４７が回動可能に取り付けられている。ラチェット４７の基端側は、スプリング４８を介して軸４５に接続されている。
【０１２２】
ラチェット４７は、ラチェットホイール４６に係止されない様に、スプリング４８により半時計方向に付勢されている。この状態であると、軸４１１に遊嵌されたドラム４３は、回動が可能である。この状態とは、作業者が通常の速度で梯子を昇降する場合である。      
【０１２３】
作業者が、誤って二連の安全梯子Ａの何れかの踏桟から足を踏み外すと、後述する定滑車５を介してワイヤーｗが急激に引き出されるため、ドラム４３が高速回転し、ラチェット４７がスプリング４８の力に抗して軸４４の周りを回動し、ラチェットホイール４６と噛み合う。
【０１２４】
これにより、ドラム４３の回動が阻止されるため、ワイヤーｗの繰り出しが止まり、作業者の地面への激突が未然に防げる。
【０１２５】
落下防止器４から繰り出されるフックｆ付きのワイヤーｗは、下梯子１の背後を上昇し、梯子の重なり部分で上踏桟２の前面に出て上昇し、後述する定滑車５のシープ５１に掛け渡されてから垂下する様に引き回されている。
【０１２６】
なお、二連の安全梯子Ａを運搬する時や保管する際には、落下防止器４から繰り出されるワイヤーｗを定滑車５に掛け渡たしてから若干垂下させて、フックｆを定滑車５より下方の上踏桟２３に係止させておく。
【０１２７】
定滑車５は、ワイヤーｗが掛けられる凹溝を周設した円盤状のシープ５１と、シープ５１を回動自在に軸５２で軸支する懸垂穴付きの軸枠ホルダー５３とを備える。
【０１２８】
懸垂金具５０は、天板５０１と、天板５０１の下面から垂下する穴付きの吊下片５０２、５０２と、天板５０１を最上段の上踏桟２３に固定するためのボルト・ナット５０３と、吊下片５０２の穴および軸枠ホルダー５３の懸垂穴に嵌め込まれる取付ピン５０４とからなり、定滑車５を最上段の上踏桟２３の中央下面に釣り下げている。
【０１２９】
つぎに、実施例１の二連の安全梯子Ａの使用方法を述べる。
（１）縮んだ状態の二連の安全梯子Ａを作業現場に運び、家屋（作業物）の屋根の近くの地面に倒した状態で置く。そして、フックｆを踏桟（例えば上踏桟２３）から外し、限界値を越えない速度で、踏桟の寸法程度、ワイヤーｗを引き出しておく。
【０１３０】
なお、二連の安全梯子Ａが縮んだ状態（運搬時や保管時）では、落下防止器４から繰り出されるワイヤーｗを、各下梯子１３の背後を臨ませて、梯子の重なり部分で上踏桟２３の前面に出し、定滑車５のシープ５１に掛け渡たしてからフックｆを踏桟（例えば上踏桟２３）に係止させておく。
（２）二連の安全梯子Ａを倒した状態で、留め金３３の係止を解除し、上梯子２を最大長まで延ばし、留め金３３を下梯子１の最上段の下踏桟１３に係止して、上梯子２を固定する。
（３）延ばした二連の安全梯子Ａを、７５度の設置角度で家屋に立て掛ける。そして、ワイヤーｗのフックｆを作業員の安全ベルトのカラビラに嵌め込む。
（４）作業員は、下梯子１の下踏桟１３から二連の安全梯子Ａを昇り始め、つなぎ目で上梯子２の上踏桟２３に乗り換えて二連の安全梯子Ａを昇り、家屋の屋根に到達する。
【０１３１】
万が一、作業者が二連の安全梯子Ａの踏桟から足を踏み外した場合には、定滑車５のシープ５１を介してワイヤーｗが落下防止器４から急激に引き出されるため、ドラム４３が高速回転し、ラチエット４７がスプリング４８の力に抗して軸４４の周りを回動し、ラチエットホイール４６と噛み合う。
【０１３２】
これにより、ドラム４３の回動が阻止され、ワイヤーｗの繰り出しが止まり、作業者の転落が中断し、地面への激突が防止される。
【０１３３】
実施例１の二連の安全梯子Ａは、以下の利点を有する。
【０１３４】
二連の安全梯子Ａは、比較的重い落下防止器４を取付金具１０により下梯子下部に固定している。そして、最上段の上踏桟２３に定滑車５を懸垂金具５０により釣り下げている。
【０１３５】
これにより、（取付金具１０＋落下防止器４の重量）＞（定滑車５＋懸垂金具５０の重量）であるため、梯子を延ばして使用する状態において、落下防止器４および定滑車５を付けない二連の安全梯子に比べ、二連の安全梯子Ａは、重心が下がる。
【０１３６】
二連の安全梯子Ａは、延ばして使用する状態において重心が下がるため、作業物である家屋へ立て掛ける際に、二連の安全梯子Ａが、グラついたり倒れたりし難い。
【０１３７】
二連の安全梯子Ａを延ばして使用する状態において、重心が下がるため、家屋へ二連の安全梯子Ａを立て掛け後、下踏桟１３や上踏桟２３を作業者が昇降する際にもグラつき難く、作業者が踏桟から足を踏み外し難い。
【０１３８】
二連の安全梯子Ａは、畳んだ状態において、（取付金具１０＋落下防止器４の重量）が、ある程度、（定滑車５＋懸垂金具５０の重量）で相殺されるので、下梯子下部が極端に下がらず、運び易い。
【０１３９】
二連の安全梯子Ａを延ばして使用する状態において、落下防止器４から繰り出されるフックｆ付きワイヤーｗは、各下梯子１の背後を上昇し、梯子の重なり部分で上梯子２の前面に出て上昇し、定滑車５に掛け渡されてから各踏桟を垂下する様に引き回されているので、作業者が、下踏桟１３や上踏桟２３を登る際や転落時に、ワイヤーｗが、作業者や下梯子１や上梯子２と干渉し難い。
【０１４０】
なお、二連の安全梯子Ａは、落下防止器４を梯子上部に取り付ける梯子に比べてワイヤーｗの長さが略二倍必要となるので、落下防止器４内に巻かれるワイヤーｗの長さを略二倍にするか、ワイヤーｗを繋いで長くする。
【実施例２】
【０１４１】
つぎに、本発明の実施例２に係る二連の安全梯子Ｂ（請求項３に対応）を、図２および図３に基づいて説明する。
【０１４２】
図３に示す如く、二連の安全梯子Ｂは、左下支柱１１〜右下支柱１２間に複数の下踏桟１３を取り付けた下梯子１と、左上支柱２１〜右上支柱２２間に複数の上踏桟２３を取り付けた上梯子２と、上梯子２を任意の高さで係止可能な伸縮固定手段３と、下梯子下部に取付金具１０を固定した落下防止器４と、最上段の上踏桟２３に懸垂金具５０により釣り下げられる吊りローラー６とを備える。
【０１４３】
実施例２の二連の安全梯子Ｂは、下記の点で実施例１の二連の安全梯子Ａと異なる。
【０１４４】
実施例２の二連の安全梯子Ｂは、定滑車５の代わりに吊りローラー６を採用している。      
【０１４５】
吊りローラー６は、ワイヤーｗが掛けられるＶ溝を周設した糸巻状のシープ６１と、シープ６１を回動自在に軸支する断面略Ｕ字状のホルダー６２と、ホルダー６２の上面に配設される吊下金具６３とを備え、吊下金具６３を取付ピン５０４に嵌め込んで上踏桟２３へ釣り下げられている。
【０１４６】
作業者が二連の安全梯子Ｂの踏桟から足を踏み外すと、吊りローラー６のシープ６１を介してワイヤーｗが急激に引き出されるため、ドラム４３が高速回転し、ラチェット４７がスプリング４８の力に抗して軸４４の周りを回動し、ラチェットホイール４６と噛み合う。
【０１４７】
これにより、ドラム４３の回動が阻止されるため、ワイヤーｗの繰り出しが止まり、作業者の地面への激突が未然に防げる。
【０１４８】
二連の安全梯子Ｂを延ばして使用する状態において、落下防止器４から繰り出されるフックｆ付きのワイヤーｗは、各下梯子１の背後を上昇し、梯子の重なり部分で上踏桟２の前面に出て上昇し、吊りローラー６のシープ６１に掛け渡されてから各踏桟を垂下する様に引き回されている。
【０１４９】
なお、二連の安全梯子Ｂを縮んだ状態で、運搬や保管する際には、落下防止器４から繰り出されるワイヤーｗを吊りローラー６のシープ６１に掛け渡たしてから若干垂下させて、フックｆを吊りローラー６より下方の上踏桟２３に係止させておく。
【０１５０】
二連の安全梯子Ｂを延ばして使用する状態において、作業者が二連の安全梯子Ｂの踏桟から足を踏み外した場合には、吊りローラー６のシープ６１を介してワイヤーｗが落下防止器４から急激に引き出されるため、ドラム４３が高速回転し、ラチエット４７がスプリング４８の力に抗して軸４４の周りを回動し、ラチエットホイール４６と噛み合う。
【０１５１】
これにより、ドラム４３の回動が阻止され、ワイヤーｗの繰り出しが止まり、作業者の転落が中断し、作業者の地面への激突が防止できる。
【０１５２】
実施例２の二連の安全梯子Ｂは、以下の利点を有する。
【０１５３】
二連の安全梯子Ｂは、比較的重い落下防止器４を取付金具１０により下梯子下部に固定している。そして、最上段の上踏桟２３に吊りローラー６を懸垂金具５０で釣り下げている。
【０１５４】
通常、（取付金具１０＋落下防止器４の重量）＞（吊りローラー６＋懸垂金具５０）であるため、二連の安全梯子Ｂを延ばして使用する状態において、落下防止器４および吊りローラー６を付けない二連の梯子に比べて重心が下がる。
【０１５５】
二連の安全梯子Ｂを延ばして使用する状態において、重心が下がるため、作業物である家屋へ二連の安全梯子Ｂを立て掛ける際に、二連の安全梯子Ｂが、グラついたり倒れたりし難い。
【０１５６】
二連の安全梯子Ｂを延ばして使用する状態において、重心が下がるため、家屋へ二連の安全梯子Ｂを立て掛け後、下踏桟１３や上踏桟２３を作業者が昇降する際にもグラつき難く、作業者が踏桟から足を踏み外し難い。
【０１５７】
二連の安全梯子Ｂを畳んだ状態において、（取付金具１０の重量＋落下防止器４の重量）が、ある程度、（吊りローラー６の重量＋懸垂金具５０の重量）で相殺されるので、下梯子下部が極端に下がらず、運び易い。
【０１５８】
二連の安全梯子Ｂを延ばして使用する状態において、落下防止器４から繰り出されるフックｆ付きワイヤーｗは、各下梯子１の背後を上昇し、梯子の重なり部分で上梯子２の前面に出て各上梯子２の前面を上昇し、吊りローラー６に掛け渡されてから各梯子を垂下する様に引き回されているので、作業者が、下踏桟１３や上踏桟２３を登る際や転落時に、ワイヤーｗが、作業者や下梯子１や上梯子２と干渉し難い。
【０１５９】
なお、二連の安全梯子Ｂは、落下防止器４を梯子上部に取り付ける梯子に比べてワイヤーｗの長さが略二倍必要となるので、落下防止器４内に巻かれるワイヤーｗの長さを略二倍にするか、ワイヤーｗを繋いで長くする。
【０１６０】
吊りローラー６は、糸巻状のシープ６１のＶ溝が深いため、定滑車５に比べワイヤーｗが外れ難い。
【実施例３】
【０１６１】
つぎに、本発明の実施例３に係る二連の安全梯子Ｃ（請求項４に対応）を、図２および図４に基づいて説明する。
【０１６２】
図４に示す如く、二連の安全梯子Ｃは、左下支柱１１〜右下支柱１２間に複数の下踏桟１３を取り付けた下梯子１と、左上支柱２１〜右上支柱２２間に複数の上踏桟２３を取り付けた上梯子２と、上梯子２を任意の高さで係止可能な伸縮固定手段３と、下梯子下部に取付金具１０で固定される落下防止器４と、最上段の上踏桟２３に釣り下げられる吊り金車７とを備える。
【０１６３】
実施例３の二連の安全梯子Ｃは、下記の点で実施例１の二連の安全梯子Ａと異なる。
【０１６４】
実施例３の二連の安全梯子Ｃは、定滑車５の代わりに吊り金車７を採用している。
【０１６５】
吊り金車７は、ワイヤーｗが掛けられる糸巻状のシープ７１と、シープ７１を回動自在に軸支する断面略Ｕ字状のホルダー７２と、ホルダー７２の上端から延設する係合金具７３とを備え、レバー７４を操作すると、ホルダー７２の片側が開く構造である。
【０１６６】
この吊り金車７は、係合金具７３を吊下金具７０の軸に嵌め込むことにより、最上段の上踏桟２３へ釣り下げられている。
【０１６７】
作業者が二連の安全梯子Ｃの踏桟から足を踏み外すと、吊り金車７のシープ７１を介してワイヤーｗが急激に引き出されるため、ドラム４３が高速回転し、ラチェット４７がスプリング４８の力に抗して軸４４の周りを回動し、ラチェットホイール４６と噛み合う。      
【０１６８】
これにより、ドラム４３の回動が阻止されるため、ワイヤーｗの繰り出しが止まり、作業者の地面への激突を未然に防げる。
【０１６９】
落下防止器４から繰り出されるフックｆ付きのワイヤーｗは、下梯子１の背後を上昇し、梯子の重なり部分で上踏桟２の前面に出て上昇し、吊り金車７のシープ７１に掛け渡されてから垂下する様に引き回されている。
【０１７０】
なお、二連の安全梯子Ｃを縮んだ状態で、運搬や保管する際には、レバー７４を操作して、ホルダー７２の片側を開いて、フックｆ付きのワイヤーｗを吊り金車７のシープ７１から外してから、二連の安全梯子Ｃを畳んだ状態にする。
【０１７１】
万が一、作業者が二連の安全梯子Ｃの踏桟から足を踏み外した場合には、吊り金車７のシープ７１を介してワイヤーｗが落下防止器４から急激に引き出されるため、ドラム４３が高速回転し、ラチエット４７がスプリング４８の力に抗して軸４４の周りを回動し、ラチエットホイール４６と噛み合う。
【０１７２】
これにより、ドラム４３の回動が阻止され、ワイヤーｗの繰り出しが止まり、作業者の転落が中断し、地面への激突を防止できる。
【０１７３】
実施例３の二連の安全梯子Ｃは、以下の利点を有する。
【０１７４】
二連の安全梯子Ｃは、比較的重い落下防止器４を取付金具１０により下梯子下部に固定し、最上段の上踏桟２３に吊り金車７を釣り下げている。
【０１７５】
なお、二連の安全梯子Ｃは、（取付金具１０＋落下防止器４の重量）＞（吊り金車７の重量＋吊下金具７０の重量）であるため、延ばして使用する状態において、落下防止器４および吊り金車７を付けない二連の安全梯子に比べ、二連の安全梯子Ｃは、重心が下がる。
【０１７６】
二連の安全梯子Ｃは、延ばして使用する状態において、重心が下がるため、作業物である家屋へ立て掛ける際に、グラついたり倒れたりし難い。
【０１７７】
二連の安全梯子Ｃは、延ばして使用する状態において、重心が下がるため、家屋へ二連の安全梯子Ｃを立て掛け後、下踏桟１３や上踏桟２３を作業者が昇降する際にもグラつき難く、作業者が踏桟から足を踏み外し難い。
【０１７８】
二連の安全梯子Ｃは、延ばさない状態において、（取付金具１０＋落下防止器４の重量）が、ある程度、（吊り金車７の重量＋吊下金具７０の重量）で相殺されるので、運ぶ際に下梯子下部が極端に下がらず、運び易い。
【０１７９】
二連の安全梯子Ｃは、延ばして使用する状態において、落下防止器４から繰り出されるフックｆ付きワイヤーｗは、各下梯子１の背後を上昇し、梯子の重なり部分で上梯子２の前面に出て各上梯子２の前面を上昇し、吊り金車７に掛け渡されてから垂下する様に引き回しているので、作業者が、下踏桟１３や上踏桟２３を登る際や転落時に、ワイヤーｗが、作業者や下梯子１や上梯子２と干渉し難い。
【０１８０】
なお、二連の安全梯子Ｃは、落下防止器４を梯子上部に取り付ける従来の二連の安全梯子に比べてワイヤーｗの長さが略二倍必要となるので、落下防止器４内に巻かれるワイヤーｗの長さを略二倍にするか、ワイヤーｗを繋いで長くする。
【０１８１】
吊り金車７は、シープ７１が糸巻状であるので、定滑車５に比べ、ワイヤーｗが外れ難い。
【０１８２】
レバー７４を操作すれば、ホルダー７２の片側が開くので、ワイヤーｗを吊り金車７のシープ７１から外すことができる。このため、二連の安全梯子Ｃを運搬する時や保管する際に、便利である。
【実施例４】
【０１８３】
つぎに、本発明の実施例４に係る二連の安全梯子Ｄ（請求項２に対応）を図５に基づいて説明する。
【０１８４】
二連の安全梯子Ｄは、左下支柱１１〜右下支柱１２間に複数の下踏桟１３を取り付けた下梯子１と、左上支柱２１〜右上支柱２２間に複数の上踏桟２３を取り付けた上梯子２と、上梯子２を任意の高さで係止可能な伸縮固定手段３と、上梯子下部に取付金具９で固定される落下防止器４と、上踏桟２３に懸垂金具８で吊り下げられる定滑車５とを備える。      
【０１８５】
実施例４の二連の安全梯子Ｄは、下記の点で実施例１の二連の安全梯子Ａと異なる。
【０１８６】
落下防止器４は、最下から二段上の上踏桟２３と、その一つ上の上踏桟２３と、これら上踏桟１３−１３間に臨む左右上支柱１１、１２とで囲まれる上梯子下部に取付金具９により固定される。
【０１８７】
取付金具９は、断面略コ字状を呈し、上梯子２の最下から二段上の上踏桟２３と、その一つ上の上踏桟２３にボルト止めされる。
【０１８８】
そして、二連の安全梯子Ｄを延ばして使用する状態において、落下防止器４から繰り出されるフックｆ付きワイヤーｗは、各上踏桟２３の背後を上昇し、定滑車５のシープ５１に掛け渡されてから各踏桟の前面を垂下する様に引き回されている。
【０１８９】
二連の安全梯子Ｄを延ばして使用する状態において、万が一、作業者が二連の安全梯子Ｄの踏桟から足を踏み外した場合には、定滑車５のシープ５１を介してワイヤーｗが落下防止器４から急激に引き出されるため、ドラム４３が高速回転し、ラチエット４７がスプリング４８の力に抗して軸４４の周りを回動し、ラチエットホイール４６と噛み合う。
【０１９０】
これにより、ドラム４３の回動が阻止され、ワイヤーｗの繰り出しが止まり、作業者の転落が中断し、地面への激突を防止できる。
【０１９１】
なお、二連の安全梯子Ｄを縮んだ状態で、運搬や保管する際には、落下防止器４から繰り出されるワイヤーｗを定滑車５のシープ５１に掛け渡たしてから若干垂下させて、フックｆを定滑車５より下方の上踏桟２３に係止させておく。
【実施例５】
【０１９２】
つぎに、本発明の実施例５に係る一連の安全梯子Ｅ（請求項５に対応）を、図２および図６に基づいて説明する。
【０１９３】
図６に示す如く、一連の安全梯子Ｅは、左支柱１１３〜右下支柱１１４間に複数の踏桟１１５を取り付けた梯子１００と、梯子下部に取付金具１０により固定される落下防止器４と、踏桟１１５に懸垂金具５０により吊り下げられる定滑車５とを備える。
【０１９４】
実施例５の一連の安全梯子Ｅは、下記の点で実施例１の二連の安全梯子Ａと異なる。
【０１９５】
一連の安全梯子Ｅは、単一の梯子であるので、伸縮固定手段３は、付いていない。
【０１９６】
落下防止器４は、最下段の踏桟１１５と、その踏桟１１５より下方に位置する左右支柱１１３、１１４とで囲まれる梯子下部に取付金具１０により固定される。
【０１９７】
定滑車５は、ワイヤーｗが掛けられる凹溝を周設した円盤状のシープ５１と、シープ５１を回動自在に軸５２で軸支する懸垂穴付きの軸枠ホルダー５３とを備える。
【０１９８】
懸垂金具５０は、天板５０１と、天板５０１の下面から垂下する穴付きの吊下片５０２、５０２と、天板５０１を最上段の踏桟１１５に固定するためのボルト・ナット５０３と、吊下片５０２の穴および軸枠ホルダー５３の懸垂穴に嵌め込まれる取付ピン５０４とからなり、定滑車５を最上段の踏桟１１５の中央下面に釣り下げている。
【０１９９】
左支柱１１１、右支柱１１２は、断面が長方形で、長さが数ｍの中空アルミパイプである。左支柱１１および右支柱１２の下端には、滑り止め用の端具１１１、１１２が取り付けられている。
【０２００】
左支柱１１１、右支柱１１２は、数十ｃｍの間隔を隔てて並設され、左支柱１１１〜右支柱１１２間に、七個の踏桟１１５が等間隔に取り付けられている。
【０２０１】
左支柱１１１および右支柱１１２の上端には、怪我防止用のエンドキャップ１１６、１１７が取り付けられている。
【０２０２】
つぎに、実施例５の一連の安全梯子Ｅの使用方法を述べる。
（１）一連の安全梯子Ｅを作業現場に運び、家屋（作業物）の屋根の近くの地面に倒した状態で置く。そして、フックｆを踏桟１１５（例えば、上から二番目の踏桟）から外し、限界値を越えない速度で、踏桟の寸法程度、ワイヤーｗを引き出しておく。
【０２０３】
なお、一連の安全梯子Ｅの不使用時（運搬時や保管時）は、落下防止器４から繰り出されるワイヤーｗを、各梯子１１５の背後を臨ませて、定滑車５のシープ５１に掛け渡たしてからフックｆを、何れかの踏桟１１５（例えば、上から二番目の踏桟）に係止させておく。
（２）一連の安全梯子Ｅを、７５度の設置角度で家屋に立て掛ける。そして、ワイヤーｗのフックｆを作業員の安全ベルトのカラビラに嵌め込む。
（３）作業員は、梯子１００の最下段の踏桟１１５から一連の安全梯子Ｅを昇り、家屋の屋根に到達する。
【０２０４】
万が一、作業者が一連の安全梯子Ｅの踏桟から足を踏み外した場合には、定滑車５のシープ５１を介してワイヤーｗが落下防止器４から急激に引き出されるため、ドラム４３が高速回転し、ラチエット４７がスプリング４８の力に抗して軸４４の周りを回動し、ラチエットホイール４６と噛み合う。
【０２０５】
これにより、ドラム４３の回動が阻止され、ワイヤーｗの繰り出しが止まり、作業者の転落が中断し、地面への激突が防止される。
【０２０６】
実施例５の一連の安全梯子Ｅは、以下の利点を有する。
【０２０７】
一連の安全梯子Ｅは、比較的重い落下防止器４を取付金具１０により梯子下部に固定し、最上段の踏桟１１５に定滑車５を懸垂金具５０により釣り下げている。
【０２０８】
これにより、（取付金具１０＋落下防止器４の重量）＞（定滑車５＋懸垂金具５０の重量）であるため、使用時において、落下防止器４および定滑車５を付けない梯子に比べ、一連の安全梯子Ｅは、重心が下がる。
【０２０９】
一連の安全梯子Ｅの使用時において、重心が下がるため、作業物である家屋へ一連の安全梯子Ｅを立て掛ける際に、一連の安全梯子Ｅが、グラついたり倒れたりし難い。
【０２１０】
一連の安全梯子Ｅの使用時において、重心が下がるため、家屋へ一連の安全梯子Ｅを立て掛け後、踏桟１１５を作業者が昇降する際にも一連の安全梯子Ｅがグラつき難く、作業者が踏桟から足を踏み外し難い。
【０２１１】
一連の安全梯子Ｅは、（取付金具１０＋落下防止器４の重量）が、ある程度、（定滑車５＋懸垂金具５０の重量）で相殺されるので、梯子下部が極端に下がらず、運び易い。
【０２１２】
一連の安全梯子Ｅの使用時において、落下防止器４から繰り出されるフックｆ付きワイヤーｗは、梯子１００の背後を上昇し、定滑車５に掛け渡されてから各踏桟１１５の前面を垂下する構成であるので、作業者が、踏桟１１５を登る際や転落時に、ワイヤーｗが、作業者や梯子１１５と干渉し難い。
【０２１３】
なお、一連の安全梯子Ｅは、落下防止器４を梯子上部に取り付ける梯子に比べてワイヤーｗの長さが略二倍必要となるので、落下防止器４内に巻かれるワイヤーｗの長さを略二倍にするか、ワイヤーｗを繋いで長くする。
【実施例６】
【０２１４】
つぎに、本発明の実施例６に係る三連の安全梯子Ｆ（請求項６に対応）を、図２および図７に基づいて説明する。
【０２１５】
図７に示す如く、三連の安全梯子Ｆは、左下支柱１１〜右下支柱１２間に複数の下踏桟１３を取り付けた下梯子１と、左上支柱２１〜右上支柱２２間に複数の上踏桟２３を取り付けた上梯子２と、左中支柱９１〜右中支柱９２間に複数の中踏桟９３を取り付けた中梯子９０と、上梯子２を任意の高さで係止可能な伸縮固定手段３０と、中梯子９０を任意の高さで係止可能な伸縮固定手段３１と、下梯子下部に取付金具１０により固定される落下防止器４と、上踏桟２３に懸垂金具８で吊り下げられる定滑車５とを備える。
【０２１６】
実施例６の三連の安全梯子Ｆは、下記の点で実施例１の二連の安全梯子Ａと異なる。
【０２１７】
中梯子９０の左中支柱９１および右中支柱９２は、断面が長方形で、長さが数ｍの中空アルミパイプである。これらの中支柱９１、右中支柱９２は、数十ｃｍの間隔を隔てて並設され、左中支柱９１〜右中支柱９２間に、七個の中踏桟９３が取り付けられている。
【０２１８】
伸縮固定手段３０は、ブラケット３０１、３０２、止め金具３０３、ロック、およびラック等により構成され、中梯子９０の背後で上梯子２を上下動自在に支持するとともに、上梯子２を任意の高さで係止可能とする公知の機構である。
【０２１９】
伸縮固定手段３１は、ブラケット３１１、３１２、止め金具３１３、ロック、およびラック等により構成され、下梯子１の背後で中梯子９０を上下動自在に支持するとともに、中梯子９０を任意の高さで係止可能とする公知の機構である。
【０２２０】
落下防止器４は、ワイヤーｗの引出速度が限界値を越えると、ロックがかかる構造である（図２参照）。この落下防止器４は、実施例１と同様に、最下段の下踏桟１３と、その下踏桟１３より下方に位置する左右下支柱１１、１２とで囲まれる下梯子下部に取付金具１０により固定される。
【０２２１】
定滑車５は、上踏桟２３に懸垂金具８で吊り下げられる。
【０２２２】
なお、三連の安全梯子Ｆを延ばして使用する状態において、落下防止器４から繰り出されるフックｆ付きワイヤーｗは、各踏桟の背後を上昇し、定滑車５のシープ５１に掛け渡されてから各踏桟の前面を垂下する様に引き回されている。
【０２２３】
つぎに、実施例６の三連の安全梯子Ｆの使用方法を述べる。
（１）三連の安全梯子Ｆを作業現場に運び、家屋（作業物）の屋根の近くの地面に倒した状態で置く。そして、フックｆを踏桟（例えば下踏桟１３）から外し、限界値を越えない速度で、踏桟の寸法程度、ワイヤーｗを引き出しておく。
【０２２４】
なお、三連の安全梯子Ｆが縮んだ状態（運搬時や保管時）では、落下防止器４から繰り出されるワイヤーｗを、各梯子の踏桟の  背後を上昇し、定滑車５のシープ５１に掛け渡たしてからフックｆを踏桟（例えば下踏桟１３）に係止させておく。
（２）三連の安全梯子Ｆを倒した状態で、留め金３０３、３１３の係止を解除し、上梯子２および中梯子９０を最大長まで延ばし、留め金３０３を中梯子９０の最上段の中踏桟９３に係止し、留め金３１３を下梯子１の最上段の下踏桟１３に係止して、上梯子２および中梯子９０を固定する。
（３）延ばした三連の安全梯子Ｆを、７５度の設置角度で家屋に立て掛ける。そして、ワイヤーｗのフックｆを作業員の安全ベルトのカラビラに嵌め込む。
（４）作業員は、下梯子１の下踏桟１３から三連の安全梯子Ｆを昇り始め、つなぎ目で中梯子２の中踏桟９３に乗り換えて昇り、更に、つなぎ目で上梯子２の上踏桟２９３に乗り換えて家屋の屋根に到達する
万が一、作業者が、昇る途中で三連の安全梯子Ｆの何れかの踏桟から足を踏み外した場合には、定滑車５のシープ５１を介してワイヤーｗが落下防止器４から急激に引き出されるため、ドラム４３が高速回転し、ラチエット４７がスプリング４８の力に抗して軸４４の周りを回動し、ラチエットホイール４６と噛み合う。
【０２２５】
これにより、ドラム４３の回動が阻止され、ワイヤーｗの繰り出しが止まり、作業者の転落が中断し、地面への激突が防止される。
【０２２６】
実施例６の三連の安全梯子Ｆは、以下の利点を有する。
【０２２７】
三連の安全梯子Ｆは、比較的重い落下防止器を、取付金具１０により、下梯子１の下梯子下部に固定している。そして、上梯子２の最上段の上踏桟２３に定滑車５が懸垂金具８により吊り下げられている。
【０２２８】
これにより、（取付金具１０＋落下防止器４の重量）＞（定滑車５＋懸垂金具８の重量）であるため、三連の安全梯子Ｆは、延ばして使用する状態において、落下防止器４および定滑車５を付けない従来の三連の梯子に比べ重心が下がる。
【０２２９】
三連の安全梯子Ｆは、延ばして使用する状態において、重心が下がるため、作業物である家屋へ三連の安全梯子Ｆを立て掛ける際にグラついたり倒れたりし難い。
【０２３０】
三連の安全梯子Ｆを延ばして使用する状態において、重心が下がるため、家屋へ立て掛け後、下踏桟１３や上踏桟２３を作業者が昇降する際にもグラつき難く、作業者が踏桟から足を踏み外し難い。
【０２３１】
三連の安全梯子Ｆは、畳んだ状態において、（取付金具１０＋落下防止器４の重量）が、ある程度、（定滑車５＋懸垂金具８の重量）で相殺されるので、下梯子下部が極端に下がらず、運び易い。
【０２３２】
三連の安全梯子Ｆを延ばして使用する状態において、落下防止器４から繰り出されるフックｆ付きワイヤーｗは、各梯子の背後を上昇し、定滑車５に掛け渡されてから各踏桟の前面を垂下する様に引き回しているので、作業者が、下踏桟１３、中踏桟９１、および上踏桟２３を登る際や転落時に、ワイヤーｗが、作業者、下梯子１、中踏桟９１、または上梯子２と干渉し難い。
【０２３３】
なお、三連の安全梯子Ｆは、落下防止器を三連の安全梯子の梯子上部に取り付ける梯子に比べてワイヤーｗの長さが略三倍必要となるので、落下防止器４内に巻かれるワイヤーｗの長さを略三倍にするか、ワイヤーｗを途中で繋いで長くする。
【０２３４】
本発明は、上記実施例以外に、つぎの実施態様を含む。
ａ．定滑車、吊りローラー、または吊り金車を吊り下げる上梯子の最上段の上踏桟は、作業者の落下時に下向きの力が掛かるので、上踏桟の端を下から支える補強材を上支柱に取り付けても良い。
ｂ．第１〜第４実施例の二連の安全梯子において、落下防止器４を梯子上部に取り付ける梯子に比べて、長いワイヤーｗが必要となるので、落下防止器４内に巻かれるワイヤーｗの長さを略二倍にするか、ワイヤーｗを途中で繋いで長くする。
【０２３５】
また、第６実施例の三連の安全梯子において、落下防止器４を梯子上部に取り付ける三連梯子に比べて、長いワイヤーｗが必要となるので、落下防止器４内に巻かれるワイヤーｗの長さを略三倍にするか、ワイヤーｗを途中で繋いで長くする。
ｃ．請求項５、６（実施例５、６）の滑車状体は、定滑車５以外に、吊りローラー６や吊り金車７であっても良い。
ｄ．索状体は、断面が円形のワイヤーｗ以外に、断面が長方形の帯状体であっても良い。ｅ．落下防止器を固定する梯子下部の位置は、重心を下げる観点から、最下段の踏桟と、その踏桟より下方に位置する左右支柱とで囲まれた場所が好ましいが、最下段から一段、または二段上の踏桟と、その踏桟より下方に位置する左右支柱とで囲まれた場所であっても良い。
【符号の説明】
【０２３６】
Ａ、Ｂ、Ｃ、Ｄ  二連の安全梯子
Ｅ  一連の安全梯子
Ｆ  三連の安全梯子
ｗ  ワイヤー（索状体）
１  下梯子
２  上梯子
３  伸縮固定手段
４  落下防止器
５  定滑車（定滑車、滑車状体）
６  吊りローラー
７  吊り金車
９、１０  取付金具
１１  左下支柱
１２  右下支柱
１３  下踏桟
２１  左上支柱
２２  右上支柱
２３  上踏桟
８、５０  懸垂金具
７０  吊下金具
９０  中梯子
９１  左中支柱
９２  右中支柱
【図１】
2020111949.tif 000003
【図２】
2020111949.tif 000004
【図３】
2020111949.tif 000005
【図４】
2020111949.tif 000006
【図５】
2020111949.tif 000007
【図６】
2020111949.tif 000008
【図７】
2020111949.tif 000009